(57)【要約】  通信システムにおけるＩＰベアラコネクションを解放する方法は、第一ＩＰベアラコネクションとそれに対応するコネクションベアラチャネルとを解放し、ユーザー設備のＩＰアドレスと第二ＩＰベアラコネクションとの関連付けの有無を判断し、前記ユーザー設備のＩＰアドレスと第二ＩＰベアラコネクションとを関連付けたと判断すれば、前記ユーザー設備のＩＰアドレスを保留する。又、本発明は、通信システムにおけるＩＰベアラコネクションを解放するシステムと装置も提供する。【選択図】図２
2010523016.tif 000002
【特許請求の範囲】
【請求項１】
第一ＩＰベアラコネクション（Ｉｎｔｅｒｎｅｔ  Ｐｒｏｔｏｃｏｌ  ｃｏｎｎｅｃｔｉｏｎ  ｂｅａｒｅｒ）と、それに対応するコネクションベアラチャネル（Ｃｏｎｎｅｃｔｉｏｎ  ｂｅａｒｅｒ  ｃｈａｎｎｅｌ）とを解放し、
ユーザー設備のＩＰアドレスと第二ＩＰベアラコネクションとの関連付けの有無を判断し、
前記ユーザー設備のＩＰアドレスと第二ＩＰベアラコネクションとを関連付けたと判断すれば、前記ユーザー設備のＩＰアドレスを保留する、
ことを特徴とする通信システムにおけるＩＰベアラコネクションを解放する方法。
【請求項２】
前記第一ＩＰベアラに対応するコネクションベアラチャネルが一つ以上を含むことと、前記第二ＩＰベアラに対応するコネクションベアラチャネルが一つ以上を含むことを特徴とする請求項１に記載の通信システムにおけるＩＰベアラコネクションを解放する方法。
【請求項３】
前記第一ＩＰベアラコネクション及びそれに対応するコネクションベアラチャネルを解放する条件は、
アクセスノード（Ａｃｃｅｓｓ  Ｎｏｄｅ）のタイプ又はアクセスノードのＩＰアドレスにおける変化の有無を判定し、変化があると判定すれば、第一ＩＰベアラコネクション及びそれに対応するコネクションベアラチャネルを解放するステップ、
又は、前記ユーザー設備に接続された接続網との間のコネクションベアラチャネル（Ｃｏｎｎｅｃｔｉｏｎ  ｂｅａｒｅｒ  ｃｈａｎｎｅｌ）のタイプにおける変化の有無を判定し、変化があると判定すれば、第一ＩＰベアラコネクション及びそれに対応するコネクションベアラチャネルを解放するステップ、
又は、前記ユーザー設備から要請メッセージを受信すると、第一ＩＰベアラコネクション及びそれに対応するコネクションベアラチャネルを解放するステップ、
を含むことを特徴とする請求項２に記載の通信システムにおけるＩＰベアラコネクションを解放する方法。
【請求項４】
前記要請メッセージは移動ＩＰ登録要請メッセージと、バインディング要請メッセージと、ＧＰＲＳにおけるコネクションベアラチャネルへの制御要請メッセージとを含むことを特徴とする請求項３に記載の通信システムにおけるＩＰベアラコネクションを解放する方法。
【請求項５】
前記通信システムは制御実体と、無線接続ユーザーの平面実体と無線接続網実体とを含むことにより、
前記第一ＩＰベアラコネクション及びそれに対応するコネクションベアラチャネルを解放することは、
前記無線接続ユーザーの平面実体は、前記制御実体から送信されたベアラ解放要請メッセージを受信後、無線接続ベアラ解放要請メッセージを前記無線接続網実体に送信し、
前記無線接続網実体から自身と前記無線接続ユーザーの平面実体との間におけるベアラを解放し、無線接続ベアラ解放応答メッセージを前記無線接続ユーザーの平面実体に送信し、
前記無線接続ユーザーの平面実体は自身と前記制御実体との間におけるベアラを解放することを含む、
ことを特徴とする請求項１に記載の通信システムにおけるＩＰベアラコネクションを解放する方法。
【請求項６】
前記通信システムは移動管理実体を含むことにより、前記無線接続ベアラ解放要請メッセージを前記移動管理実体により前記無線接続網実体に送信させ、前記無線接続ベアラ解放応答メッセージを前記移動管理実体により前記無線接続ユーザーの平面実体に送信することを特徴とする請求項５に記載の通信システムにおけるＩＰベアラコネクションを解放する方法。
【請求項７】
前記ユーザー設備のＩＰアドレスは前記第二ＩＰベアラコネクションに対応するコネクションベアラチャネルと関連付けられていない場合、前記ユーザー設備のＩＰアドレスを解放することを特徴とする請求項１に記載の通信システムにおけるＩＰベアラコネクションを解放する方法。
【請求項８】
前記第一ＩＰベアラコネクションとそれに対応するコネクションベアラチャネルを解放する前に、予めユーザー設備に接続された接続網コネクションベアラチャネルを形成し、前記ユーザー設備のＩＰアドレスと前記コネクションベアラチャネルとを関連付けることを特徴とする請求項１に記載の通信システムにおけるＩＰベアラコネクションを解放する方法。
【請求項９】
ユーザー設備のＩＰアドレスと第二ＩＰベアラコネクションとの関連付けの有無を判定し、前記ユーザー設備のＩＰアドレスと第二ＩＰベアラコネクションとの関連付けがあれば、前記ユーザー設備のＩＰアドレスを保留する制御実体と、
第一ＩＰベアラコネクション及びそれに対応するコネクションベアラチャネルを解放することに用いる無線接続ユーザーの平面実体とを含む、
ことを特徴とする通信システムにおけるＩＰベアラコネクションを解放するシステム。
【請求項１０】
前記制御実体は、
前記ユーザー設備のＩＰアドレスと第二ＩＰベアラコネクションとの関連付けの有無を判定して、その判定結果を保留ユニットに送信する第一判定ユニットと、
前記ユーザー設備のＩＰアドレスと第二ＩＰベアラコネクションとの関連付けを確認できる場合、前記ユーザー設備のＩＰアドレスを保留する保留ユニットとを含む、
ことを特徴とする請求項９に記載の通信システムにおけるＩＰベアラコネクションを解放するシステム。
【請求項１１】
前記制御実体は，更に、
アクセスノードのタイプ又はアクセスノードのＩＰアドレスにおける変化の有無を判定し、変化があると判定すれば、前記無線接続ユーザーの平面実体をトリガー（Ｔｒｉｇｇｅｒ）し、
又は、自身とアクセスノードの間でのコネクションベアラチャネルのタイプにおける変化の有無を判定し、変化があると判定すれば、前記無線接続ユーザーの平面実体をトリガーし、
又は、前記ユーザー設備から要請メッセージを受信すれば、前記無線接続ユーザーの平面実体をトリガーする、ことに用いる第二判定ユニットを含む、
ことを特徴とする請求項１０に記載の通信システムにおけるＩＰベアラコネクションを解放するシステム。
【請求項１２】
前記システムは無線接続網実体を含み、前記制御実体は、
ベアラ解放要請メッセージを前記無線接続ユーザーの平面実体に送信する送信ユニットを更に含み、
前記無線接続ユーザーの平面実体は、
前記ベアラ解放要請メッセージと前記無線接続網実体から送信された無線接続ベアラ解放応答メッセージを受信する第一受信ユニットと、
前記無線接続ベアラ解放要請メッセージを前記無線接続網実体に送信する第一送信ユニットと、
自身と前記制御実体の間におけるベアラを解放する第一解放ユニットとを含み、
前記無線接続網実体は、
前記無線接続ベアラ解放要請メッセージを受信する第二受信ユニットと、
自身と前記無線接続ユーザーの平面実体との間におけるベアラを解放する第二解放ユニットと、
前記無線接続ベアラ解放応答メッセージを前記無線接続ユーザーの平面実体に送信する第二送信ユニットとを含む、
ことを特徴とする請求項１０に記載の通信システムにおけるＩＰベアラコネクションを解放するシステム。
【請求項１３】
前記無線接続ベアラ解放要請メッセージを前記無線接続網に転送し、前記無線接続ベアラ解放応答メッセージを前記無線接続ユーザーの平面実体に転送する転送ユニットを更に含むことを特徴とする請求項１２に記載の通信システムにおけるＩＰベアラコネクションを解放するシステム。
【請求項１４】
前記制御実体は、前記ユーザー設備のＩＰアドレスと前記第二ＩＰベアラコネクションに対応するコネクションベアラチャネルとの関連付けがなければ、前記ユーザー設備のＩＰアドレスを解放する第三解放ユニットを更に含むことを特徴とする請求項１０に記載の通信システムにおけるＩＰベアラコネクションを解放するシステム。
【請求項１５】
前記制御実体は、前記ユーザー設備に接続される接続網とコネクションベアラチャネルを形成し、前記ユーザー設備のＩＰアドレスを前記ベアラコネクションと関連付ける関連付けユニットを更に含むことを特徴とする請求項１０に記載の通信システムにおけるＩＰベアラコネクションを解放するシステム。
【請求項１６】
前記ユーザー設備のＩＰアドレスと第二ＩＰベアラコネクションとの関連付けの有無を判定し、当該判定結果を前記保留ユニットに送信する第一判定ユニットと、
前記ユーザー設備のＩＰアドレスと第二ＩＰベアラコネクションとの関連付けを確認できれば、前記ユーザー設備のＩＰアドレスを保留する保留ユニットとを含む、
ことを特徴とする制御実体。
【請求項１７】
前記制御実体は、
アクセスノードのタイプ又はアクセスノードのＩＰアドレスにおける変化の有無を判定し、変化があると判定すれば、ＩＰベアラコネクションの解放を確定し、
又は、自身とアクセスノードとの間のコネクションベアラチャネルのタイプにおける変化の有無を判定し、変化があると判定すれば、ＩＰベアラコネクションの解放を確定し、
又は、前記ユーザー設備から送信された要請メッセージを受信する場合、ＩＰベアラコネクションの解放を確定する、ことに用いる第二判定ユニットを含む、
ことを特徴とする請求項１６に記載の制御実体。
【請求項１８】
前記ユーザー設備のＩＰアドレスと前記第二ＩＰベアラコネクションに対応するコネクションベアラチャネルと関連付けていない場合、前記ユーザー設備のＩＰアドレスを解放する解放ユニットを更に含むことを特徴とする請求項１６に記載の制御実体。
【請求項１９】
ユーザー設備に接続された接続網とコネクションベアラチャネルを形成し、前記ユーザー設備のＩＰアドレスを前記ベアラコネクションと関連付ける関連付けユニットを更に含むことを特徴とする請求項１６に記載の制御実体。
【発明の詳細な説明】
【技術分野】
【０００１】
本発明は、通信領域におけるデータ伝送技術に係り、特に、通信システムにおけるＩＰベアラコネクション（Ｉｎｔｅｒｎｅｔ  Ｐｒｏｔｏｃｏｌ  ｃｏｎｎｅｃｔｉｏｎ  ｂｅａｒｅｒ）を解放する方法、システム及び装置に関する。
【背景技術】
【０００２】
第３世代パートナーシッププロジェクト（３ＧＰＰ）ネットワーク技術の着実な発展に応じ、３ＧＰＰネットワークは広く応用されていくに違いない。しかし、現在、非３ＧＰＰ（Ｎｏｎ−３ＧＰＰ）システムは依然として汎用されているため、３ＧＰＰネットワークと非３ＧＰＰネットワークの共存する態勢は、しばらく持続する見通しになっている。
【０００３】
３ＧＰＰ協議により、パケットデータプロトコル（ＰＤＰ）に従って、ネットワークアクセスが活性化された時、全パケットデータ協議コンテクスト（ＰＤＰ  Ｃｏｎｔｅｘｔ）の解放に伴い、ＰＤＰアドレスも解放される。しかし、ユーザー設備（ＵＥ）が多種類のネットワークに接続する場合、例えば、アクセスネットワークへの接続を切り換えれば、ＰＤＰアドレスの解放はサービスの非連続性を招いてしまう。例えば、ＵＥが従来の３ＧＰＰネットワークから非３ＧＰＰネットワークに切換える場合、ＵＥが従来の３ＧＰＰにおいて、既にＰＤＰコンテクストをトリガーした場合、ネットワークを切り換える時、パケット網ゲートウェイ（ＰＤＮ  ＧＷ）は、すべてのＰＤＰコンテクストを解放し、同時に他の相関するＰＤＰアドレスも解放するため、ネットワークを切り換えた後のサービスが中断されてしまう。
【発明の開示】
【発明が解決しようとする課題】
【０００４】
３ＧＰＰのＳＡＥ（Ｓｙｅｔｅｍｓ  Ａｒｃｈｉｅｔｕｒｅ  Ｅｖｏｌｕｔｉｏｎ）システムにおいて、ＵＥの登録により、少なくとも一つのデフォルト３ＧＰＰシステムのＳＡＥベアラ（Ｄｅｆａｕｌｔ  ＳＡＥ  Ｂｅａｒｅｒ）を活性化させ、同時に、一つ以上の３ＧＰＰのＳＡＥベアラも活性化させる可能性がある。そうなると、一つ以上のインターネット・プロトコル（ＩＰ）アドレスがＵＥに割り当てられ、ＵＥが３ＧＰＰ  ＳＡＥシステムから非３ＧＰＰに切り換える時、当該３ＧＰＰにおけるＧＰＲＳトンネルプロトコル（ＧＴＰ：ＧＰＲＳ  Ｔｕｎｎｅｌｉｎｇ  Ｐｒｏｔｏｃｏｌ）を解放させ、即ち、ＳＡＥベアラが解放され、同時に、ＵＥに割り当てるＩＰアドレスも解放されてしまう。当該ＵＥはサービスを削除せず、ネットワークへの切換えを行っただけであるため、ＩＰアドレスの解放によりＵＥに活性化されたサービスの持続性が破壊されてしまう。
【課題を解決するための手段】
【０００５】
本発明は、以上のような課題に鑑みてなされたものであり、ＩＰベアラコネクションの解放によりＵＥに作動されたサービスの持続性が破壊されてしまう問題点を解決できる、通信システムにおけるＩＰベアラコネクションを解放する方法、システムおよび装置を提供する。
【０００６】
（１）第一ＩＰベアラコネクションと、それに対応するコネクションベアラチャネルとを解放し、
ユーザー設備のＩＰアドレスと第二ＩＰベアラコネクションとの関連付けの有無を判断し、
前記ユーザー設備のＩＰアドレスと第二ＩＰベアラコネクションとを関連付けたと判断すれば、前記ユーザー設備のＩＰアドレスを保留する通信システムにおけるＩＰベアラコネクションを解放する方法。
【０００７】
（２）前記第一ＩＰベアラに対応するコネクションベアラチャネルが一つ以上を含むことと、前記第二ＩＰベアラに対応するコネクションベアラチャネルが一つ以上を含む（１）に記載の通信システムにおけるＩＰベアラコネクションを解放する方法。
【０００８】
（３）前記第一ＩＰベアラコネクション及びそれに対応するコネクションベアラチャネルを解放する前には
アクセスノード（Ａｃｃｅｓｓ  Ｎｏｄｅ）のタイプ又はアクセスノードのＩＰアドレスにおける変化の有無を判定し、変化があると判定すれば、第一ＩＰベアラコネクション及びそれに対応するコネクションベアラチャネルを解放するステップ、
又は、前記ユーザー設備に接続された接続網との間のコネクションベアラチャネル（Ｃｏｎｎｅｃｔｉｏｎ  ｂｅａｒｅｒ  ｃｈａｎｎｅｌ）タイプにおける変化の有無を判定し、変化があると判定すれば、第一ＩＰベアラコネクション及びそれに対応するコネクションベアラチャネルを解放するステップ、
又は、前記ユーザー設備から要請メッセージを受信すると、第一ＩＰベアラコネクション及びそれに対応するコネクションベアラチャネルを解放するステップを含む（２）に記載の通信システムにおけるＩＰベアラコネクションを解放する方法。
【０００９】
（４）前記要請メッセージは移動ＩＰ登録要請メッセージと、バインディング要請メッセージと、ＧＰＲＳにおけるコネクションベアラチャネルへの制御要請メッセージとを含む（３）に記載の通信システムにおけるＩＰベアラコネクションを解放する方法。
【００１０】
（５）前記通信システムは制御実体と、無線接続ユーザーの平面実体と無線接続網実体とを含むことにより、
前記無線接続ユーザーの平面実体は、前記制御実体から送信されたベアラ解放要請メッセージを受信後、無線接続ベアラ解放の要請メッセージを前記無線接続網実体に送信し、
前記無線接続網実体は自身と前記無線接続ユーザーの平面実体との間におけるベアラを解放し、無線接続ベアラ解放の応答メッセージを前記無線接続ユーザーの平面実体に送信し、
前記無線接続ユーザーの平面実体は自身と前記制御実体との間におけるベアラを解放する前記第一ＩＰベアラコネクション及びそれに対応するコネクションベアラチャネルを解放する（１）に記載の通信システムにおけるＩＰベアラコネクションを解放する方法。
【００１１】
（６）前記通信システムは移動管理実体を含むことにより、前記無線接続ベアラ解放要請メッセージを前記移動管理実体により前記無線接続網実体に送信させ、前記無線接続ベアラ解放の応答メッセージを前記移動管理実体により前記無線接続ユーザーの平面実体に送信する（５）に記載の通信システムにおけるＩＰベアラコネクションを解放する方法。
【００１２】
（７）前記ユーザー設備のＩＰアドレスは前記第二ＩＰベアラコネクションに対応するコネクションベアラチャネルと関連付けられていない場合、前記ユーザー設備のＩＰアドレスを解放する（１）に記載の通信システムにおけるＩＰベアラコネクションを解放する方法。
【００１３】
（８）前記第一ＩＰベアラコネクションとそれに対応するコネクションベアラチャネルを解放する前に、予めユーザー設備に接続された接続網との間でのコネクションベアラチャネルを形成し、前記ユーザー設備のＩＰアドレスと前記コネクションベアラチャネルを関連付ける（１）に記載の通信システムにおけるＩＰベアラコネクションを解放する方法。
【００１４】
（９）ユーザー設備のＩＰアドレスと第二ＩＰベアラコネクションとの関連付けの有無を判定し、前記ユーザー設備のＩＰアドレスと第二ＩＰベアラコネクションとの関連付けがあれば、前記ユーザー設備のＩＰアドレスを保留する制御実体と、
第一ＩＰベアラコネクション及びそれに対応するコネクションベアラチャネルを解放する無線接続ユーザーの平面実体とを含む通信システムにおけるＩＰベアラコネクションを解放するシステム。
【００１５】
（１０）前記制御実体は第一判定ユニットと保留ユニットを含み、そのうち、
前記第一判定ユニットは、前記ユーザー設備のＩＰアドレスと第二ＩＰベアラコネクションとの関連付けの有無を判定して、その判定結果を前記保留ユニットに送信し、
前記保留ユニットは、前記ユーザー設備のＩＰアドレスと第二ＩＰベアラコネクションとの関連付けを確認できる場合、前記ユーザー設備のＩＰアドレスを保留する（９）に記載の通信システムにおけるＩＰベアラコネクションを解放するシステム。
【００１６】
（１１）前記制御実体は，更に第二判定ユニットを含み、
第二判定ユニットは、アクセスノードのタイプ又はアクセスノードのＩＰアドレスにおける変化の有無を判定し、変化があると判定すれば、前記無線接続ユーザーの平面実体をトリガー（Ｔｒｉｇｇｅｒ）し、
又は、第二判定ユニットは、自身とアクセスノードの間でのコネクションベアラチャネルのタイプにおける変化の有無を判定し、変化があると判定すれば、前記無線接続ユーザーの平面実体をトリガーし、
又は、第二判定ユニットは、前記ユーザー設備から要請メッセージを受信すれば、前記無線接続ユーザーの平面実体をトリガーする（１０）に記載の通信システムにおけるＩＰベアラコネクションを解放するシステム。
【００１７】
（１２）前記システムは無線接続網実体を含む場合、前記制御実体は、ベアラ解放要請メッセージを前記無線接続ユーザーの平面実体に送信する送信ユニットを更に含み、
前記無線接続ユーザーの平面実体は、
前記ベアラ解放要請メッセージと前記無線接続網実体から送信された無線接続ベアラ解放の応答メッセージを受信する第一受信ユニットと、
前記ベアラ無線接続解放要請メッセージを前記無線接続網実体に送信する第一送信ユニットと、
自身と前記制御実体の間におけるベアラを解放する第一解放ユニットとを含み、
前記無線接続網実体は、
前記ベアラ無線接続解放要請メッセージを受信する第二受信ユニットと、
自身と前記無線接続ユーザーの平面実体との間におけるベアラを解放する第二解放ユニットと、
前記無線接続ベアラ解放応答メッセージを前記無線接続ユーザーの平面実体に送信する第二送信ユニットとを含む（１０）に記載の通信システムにおけるＩＰベアラコネクションを解放するシステム。
【００１８】
（１３）前記無線接続ベアラ解放要請メッセージを前記無線接続網実体に転送し、前記無線接続ベアラ解放応答メッセージを前記無線接続ユーザーの平面実体に転送する転送ユニットを更に含む（１２）に記載の通信システムにおけるＩＰベアラコネクションを解放するシステム。
【００１９】
（１４）前記制御実体は、前記ユーザー設備のＩＰアドレスと前記第二ＩＰベアラコネクションに対応するコネクションベアラチャネルとの関連付けがなければ、前記ユーザー設備のＩＰアドレスを解放する第三解放ユニットを更に含む（１０）に記載の通信システムにおけるＩＰベアラコネクションを解放するシステム。
【００２０】
（１５）前記制御実体と前記ユーザー設備に接続される接続網との間のコネクションベアラチャネルを形成し、前記ユーザー設備のＩＰアドレスを前記ベアラコネクションと関連付ける関連付けユニットを更に含む（１０）に記載の通信システムにおけるＩＰベアラコネクションを解放するシステム。
【００２１】
（１６）前記ユーザー設備のＩＰアドレスと第二ＩＰベアラコネクションとの関連付けの有無を判定し、当該判定結果を前記保留ユニットに送信する第一判定ユニットと、
前記ユーザー設備のＩＰアドレスと第二ＩＰベアラコネクションとの関連付けを確認できれば、前記ユーザー設備のＩＰアドレスを保留する前記保留ユニットとを含む制御実体。
【００２２】
（１７）前記制御実体は第二判定ユニットを更に含み、
第二判定ユニットは、アクセスノードのタイプ又はアクセスノードのＩＰアドレスにおける変化の有無を判定し、変化があると判定すれば、ＩＰベアラコネクションの解放を確定し、
又は、第二判定ユニットは、自身とアクセスノードとの間のコネクションベアラチャネルのタイプにおける変化の有無を判定し、変化があると判定すれば、ＩＰベアラコネクションの解放を確定し、
又は、第二判定ユニットは、前記ユーザー設備から送信された要請メッセージを受信する場合、ＩＰベアラコネクションの解放を確定する（１６）に記載の制御実体。
【００２３】
（１８）前記制御実体は、前記ユーザー設備のＩＰアドレスを前記第二ＩＰベアラコネクションと関連付けていない場合、前記ユーザー設備のＩＰアドレスを解放する解放ユニットを更に含む（１６）に記載の制御実体。
【００２４】
（１９）制御実体とユーザー設備に接続された接続網との間のコネクションベアラチャネルを形成し、前記ユーザー設備のＩＰアドレスを前記ベアラコネクションと関連付ける関連付けユニットを更に含む（１６）に記載の制御実体。
【発明の効果】
【００２５】
本発明は、ＵＥのＩＰアドレスをコネクションベアラチャネルと関連付け、第一ＩＰベアラコネクションとそれに対応するコネクションベアラチャネルを解放する。また、ＵＥのＩＰアドレスと第二ＩＰベアラコネクションに対応するコネクションベアラチャネルとの関連付けを確認できれば、前記ユーザー設備のＩＰアドレスを保留する。本発明によれば、ＩＰベアラコネクションを解放すると同時に、ＵＥに活性化されたサービスの持続性を確保できるようになる。
【図面の簡単な説明】
【００２６】
【図１】本発明における実施形態のシステム構成を示す図である。
【図２】本発明の第１実施形態に係るＩＰベアラコネクションを解放するフローチャートである。
【図３】本発明に係る制御実体の構成を示す図である。
【発明を実施するための形態】
【００２７】
本発明の実施形態において、まず、制御実体とＵＥに接続された接続網との間のコネクションベアラチャネルが形成され、ＵＥのＩＰアドレスをコネクションベアラチャネルと関連付けた後、所定のトリガー条件に従って、ＩＰベアラコネクション路を解放すべきことを確定できれば、まず、第一ＩＰベアラコネクションとそれに対応するコネクションベアラチャネルを解放し、ＵＥのＩＰアドレスを他のＩＰベアラコネクションと関連付けたかどうかを確認する。ＵＥのＩＰアドレスを他のＩＰベアラコネクションと関連付けたと確認すれば、ＵＥのＩＰアドレスを保留し、そうすると、ＩＰベアラコネクションを解放する同時にＵＥに活性化されたサービスの持続性を確保できる。又、ユーザー設備のＩＰアドレスを他のコネクションベアラチャネルと関連付けていないと、上記ユーザー設備のＩＰアドレスを解放し、ＵＥのＩＰアドレスの正確な解放を確保できるようになる。
【００２８】
以下、図面を参照して、本発明の方法について詳細に説明する。
【００２９】
図１は、本発明における実施形態のシステム構成を示す図である。図１に示すように、当該システムは、制御実体１１と無線接続ユーザーの平面実体１２を含み、そのうちの制御実体１１は、ユーザー設備のＩＰアドレスと第二ＩＰベアラコネクションとの関連付けの有無を判定し、ユーザー設備のＩＰアドレスと第二ＩＰベアラコネクションとの関連付けを確認できれば、上記ユーザー設備のＩＰアドレスを保留する。無線接続ユーザーの平面実体１２は、第一ＩＰベアラコネクション及びそれに対応するコネクションベアラチャネルを解放することに用いる。
【００３０】
本発明のシステムは、上記第一ＩＰベアラコネクションに対応するコネクションベアラチャネルを一つ以上含み、上記第二ＩＰベアラコネクションに対応するコネクションベアラチャネルを一つ以上含む。
【００３１】
上記制御実体１１は、第一判定ユニット２１と保留ユニット２２を含み、そのうちの第一判定ユニット２１は、前記ユーザー設備のＩＰアドレスと第二ＩＰベアラコネクションとの関連付けの有無を判定し、判定結果を前記保留ユニット２２に送信することに使用される。前記保留ユニット２２は、前記ユーザー設備のＩＰアドレスと第二ＩＰベアラコネクションとの関連付けを確認できた場合、前記ユーザー設備のＩＰアドレスを保留することに利用される。
【００３２】
上記制御実体１１は、第二判定ユニット２３を更に含む。上記第二判定ユニット２３は、アクセスノード（Ａｃｃｅｓｓ  Ｎｏｄｅ）のタイプ又はアクセスノードのＩＰアドレスにおける変化の有無を判定し、変化があると判定すれば、前記無線接続ユーザーの平面実体１２を活性化させる。又は、上記第二判定ユニット２３は自身とアクセスノードとの間におけるコネクションベアラチャネルのタイプに変化の有無を判定し、変化があると判定すれば、前記無線接続ユーザーの平面実体１２を活性化させる。又は、上記第二判定ユニット２３は、前記ユーザー設備から送信された要請メッセージを受信した後、前記無線接続ユーザーの平面実体１２を活性化させる。
【００３３】
上記システムが無線接続網実体１３を更に含む場合に、上記制御実体１１は、ベアラ解放要請メッセージ（ベアラの解放を要請するメッセージ）を前記無線接続ユーザーの平面実体１２に送信する送信ユニット２４を更に含む。上記無線接続ユーザーの平面実体１２は、第一受信ユニット３１、第一送信ユニット３２と第一解放ユニット３３を含み、そのうちの第一受信ユニット３１は、上記ベアラ解放要請メッセージと上記無線接続網実体１３から送信された無線接続ベアラ解放の応答メッセージ（無線接続ベアラの解放要請を応答するメッセージ）を受信し、第一送信ユニット３２は、無線接続ベアラ解放の要請メッセージを前記無線接続網実体１３に送信し、第一解放ユニット３３は、自身と上記制御実体１１との間におけるベアラを解放する。上記無線接続網実体１３は、上記無線接続ベアラ解放の要請メッセージを受信する第二受信ユニット４１と、自身と上記無線接続ユーザーの平面実体１２との間におけるベアラを解放する第二解放ユニット４２と、上記無線接続ベアラ解放の応答メッセージを上記無線接続ユーザーの平面実体１２に送信する第二送信ユニット４３とを含む。
【００３４】
上記システムは、上記無線接続ベアラ解放の要請メッセージを上記無線接続網実体１３に転送し、上記無線接続ベアラ解放の応答メッセージを上記無線接続ユーザーの平面実体１２に転送する転送ユニット１４を更に含む。
【００３５】
前記制御実体１１は、上記ユーザー設備のＩＰアドレスを上記第二ＩＰベアラコネクションに対応するコネクションベアラチャネルと関連付けていない場合、上記ユーザー設備のＩＰアドレスを解放する第三解放ユニット２５を更に含む。
【００３６】
上記制御実体１１は、自身とユーザー設備に接続された接続網との間のコネクションベアラチャネルを形成し、上記ユーザー設備のＩＰアドレスを上記コネクションベアラチャネルと関連付ける関連付けユニット２６を更に含む。
【００３７】
以下具体的に実施形態に関連して詳述する。
【００３８】
本発明の実施形態において、上記制御実体は、パケット網ゲートウェイ（ＰＤＮ  ＧＷ）であっても良い。従来の３ＧＰＰにおいて、移動管理実体（ＭＭＥ）と無線接続ユーザーの平面実体（ＵＰＥ）は、サービングＧＰＲＳサポートノード（ＳＧＳＮ）に位置する。進化した３ＧＰＰにおいては、上記ＵＰＥは、サービングＳＡＥゲートウェイ（Ｓｅｒｖｉｎｇ  ＳＡＥ  ＧＷ）を指す。上記ＰＤＮ  ＧＷは、通信網における一種のネットワーク実体であり、ＵＥの外部データ網への接続ノード（Ｎｏｄｅ）である。従来の３ＧＰＰシステムにおいて、上記ＰＤＮ  ＧＷは、ゲートウェイＧＰＲＳサポートノード（ＧＧＳＮ）であるが、進化した３ＧＰＰシステムにおいては、ＰＤＮ  ＳＡＥ  ＧＷ（パケット通信網３Ｇ  ＳＡＥにおけるサービスゲートウェイ）を指す。無線接続網（ＲＡＮ）実体は、従来の３ＧＰＰシステムにおける地上波無線アクセスネットワーク（ＵＴＲＡＮ）実体、或いはＧＳＭ  ＥＤＧＥ  無線接続網（ＧＥＲＡＮ）実体に限らず、進化した３ＧＰＰシステムにおける無線接続網実体であっても良い。非３ＧＰＰには、従来の３ＧＰＰと相互接続する無線構内通信網（ＩＩ−ＷＬＡＮ）、ワイマックス（Ｗｉｍａｘ）等ＩＰ接続をベースにした移動網を含む。従来の３ＧＰＰに対しては、上記ＩＰベアラコネクションはＰＤＰコンテクスト接続であり、進化した３ＧＰＰに対しては、上記ＩＰベアラコネクションはＳＡＥシステムのベアラを指し、非３ＧＰＰに対しては、上記ＩＰベアラコネクションは非３ＧＰＰシステムにおける特定ＩＰベアラである。上記ＵＰＥとＰＤＮ  ＧＷを一つの実体に合併させても良いし、そうしなくても良い。本発明の実施形態においては、当該ＵＰＥとＰＤＮ  ＧＷはそれぞれと動作し、一つの実体に合併された場合に、ＵＰＥとＰＤＮ  ＧＷとのインターアクションは、実体内部におけるインターアクションに相当する。
【００３９】
図２は、実施形態１に係る３ＧＰＰから非３ＧＰＰに切り換える場合に、ＩＰベアラコネクションを解放するフローチャートであり、具体的に下記のようになっている。
【００４０】
ステップ２０１：ＰＤＮ  ＧＷは、全てのＵＥに接続された接続網とコネクションベアラチャネルを形成し、ＵＥのＩＰアドレスを上記ベアラコネクションと関連付ける。
【００４１】
本実施形態において、まず、ＵＥが３ＧＰＰ網に接続し、ＰＤＮ  ＧＷは、３ＧＰＰとの間におけるコネクションベアラチャネルを形成し、ＵＥのＩＰアドレスを上記ベアラコネクションと関連付け、当該ＵＥは、少なくとも３ＧＰＰにおける一つのＳＡＥベアラを活性化させた。ＵＥを３ＧＰＰから非３ＧＰＰに切り換えると、ＵＥは非３ＧＰＰに接続されたようになり、ＰＤＮ  ＧＷは、非３ＧＰＰとの間におけるコネクションベアラチャネルを形成する。無論、ＵＥが二つのネットワーク間での切換えではなく、同時に複数のネットワークに接続された場合、ＰＤＮ  ＧＷは、それぞれと各ネットワークとの間でのコネクションベアラチャネルを形成することになる。
【００４２】
なお、ＵＥのＩＰアドレスはＰＤＮ  ＧＷにより割り当てられたため、ＰＤＮ  ＧＷとそれぞれの接続網の間でのコネクションベアラチャネルが形成された後、ＵＥのＩＰアドレスをいずれかのコネクションベアラチャネルと関連つける。関連つけとは、ＵＥのＩＰアドレスとコネクションベアラチャネルとの対応関係を、ＰＤＮ  ＧＷに保留することである。
【００４３】
本実施形態において、３ＧＰＰと非３ＧＰＰとの間の切換えを例として説明するが、実際にはそれに限らない。例えば、ＲＡＮにより切換要請命令（Ｈａｎｄｏｖｅｒ  Ｃｏｍｍａｎｄ）をＵＥに送信し、ＵＥが当該命令を受信後、ＲＡＮとＵＥ間の無線リソースは解放されるようになる。
【００４４】
ステップ２０２：ＰＤＮ  ＧＷはＩＰベアラコネクション解放が必要と確認すると、第一ＩＰベアラコネクションとそれに対応するコネクションベアラチャネルを解放し、同時にユーザー設備のＩＰアドレスと第二ＩＰベアラコネクションとの関連付けの有無を判定し、ユーザー設備のＩＰアドレスと第二ＩＰベアラコネクションとの関連付けがあると確認すれば、上記ＵＥのＩＰアドレスを保留し、そうではないと確認すると、上記ＵＥのＩＰアドレスを解放する。上記第一ＩＰベアラコネクションに対応するコネクションベアラチャネルは一つ以上含まれ、上記第二ＩＰベアラコネクションに対応するコネクションベアラチャネルも一つ以上含まれる。
【００４５】
ＰＤＮ  ＧＷは、ＩＰベアラコネクション解放を確認する方法は多種であるが、本発明実施形態においては、ＵＥを３ＧＰＰから非３ＧＰＰに切り換える例を挙げる。まず、当該ＵＥを非３ＧＰＰに切り換えたかどうかを検査し、切り換えたと判定できれば、解放する必要がある３ＧＰＰシステムにおけるＩＰベアラコネクションを確定する。上記検査方法は下記の三種類である。
【００４６】
１：ＰＤＮ  ＧＷは、アクセスノードのタイプ又はアクセスノードのＩＰアドレスにおける変化の有無により、ＩＰベアラコネクションを解放するかどうかを判定し、変化があると判定すれば、ＩＰベアラコネクションを解放する、という検査方法である。
【００４７】
同様に、ＵＥを非３ＧＰＰにより３ＧＰＰに切り換える場合、ＰＤＮ  ＧＷは、アクセスノードのタイプ又はＩＰアドレスの変化により、ＵＥの切換えの有無を判定し、上記のアクセスノードはＵＥに利用されるものである。例えば、ＰＤＮ  ＧＷは、ＳＧＳＮのＩＰアドレスの変化によりＵＥが切換えたことを判定できるため、解放する必要があるＩＰベアラコネクションを更に確定できる。ＳＧＳＮは３ＧＰＰにおけるＵＥのコア網へのアクセスノードであるが、非３ＧＰＰ接続網においては、アクセスノードの名称はネットワークタイプにより違っている。
【００４８】
従って、アクセスノードのＩＰアドレスとアクセスノードの名称をそれぞれと対応付けられたテーブルを設置したことで、ＵＥの切換えの有無を容易に確定できるようになる。勿論、アクセスノードのタイプにおける変化の有無によりＵＥの切換えの有無を判定しても良いが、判定方法としては上記の方法と類似する。
【００４９】
２：ＰＤＮ  ＧＷは、自身とアクセスノードの間でのコネクションベアラチャネルのタイプにおける変化の有無を判定することによって、ＩＰベアラコネクションを解放するかどうかを確定し、変化があると判定すれば、ＩＰベアラコネクションを解放する必要があると確定する、という検査方法である。
【００５０】
ＵＥがネットワーク切換えを行う場合、ＰＤＮ  ＧＷと各ネットワークアクセスノードの間でのコネクションベアラチャネルのタイプにおける変化が生じ、例えば、３ＧＰＰにおいて、ＰＤＮ  ＧＷとアクセスノードの間でのコネクションベアラチャネルのタイプはＧＴＰトンネルであり、非３ＧＰＰにおいては、ＰＤＮ  ＧＷとアクセスノードの間でのコネクションベアラチャネルのタイプは移動ＩＰ（Ｍｏｂｉｌｅ  ＩＰ，ＭＩＰ）、或は代理移動ＩＰ（Ｐｒｏｘｙ  Ｍｏｂｉｌｅ  ＩＰ，ＰＭＩＰ）トンネルである。ＰＤＮ  ＧＷは、ベアラコネクションのタイプがＧＴＰトンネルからＭＩＰトンネルになったと判定すれば、ＵＥが３ＧＰＰにより非３ＧＰＰに切り換えたことを確定できる。反対に、ＰＤＮ  ＧＷは、ベアラコネクションのタイプがＭＩＰトンネルからＧＴＰトンネルになったと判定すれば、ＵＥが非３ＧＰＰにより３ＧＰＰに切り換えたたことを確定できる。ＵＥの切換過程を判定することにより、解放する必要があるＩＰベアラコネクションを確定できるようになる。
【００５１】
３：ＰＤＮ  ＧＷは、ＵＥから送信された要請メッセージにより、解放する必要があるＩＰベアラコネクションを確定する、という検査方法である。本実施形態における上記要請メッセージは、ＭＩＰ登録要請メッセージと、バインディング要請メッセージ、又はＧＴＰ制御要請メッセージである。
【００５２】
ＵＥが、ＭＩＰ協議を利用して３ＧＰＰにより非３ＧＰＰに切り換えた場合、ＵＥは、ＰＤＮ  ＧＷにＭＩＰ登録要請メッセージ或はバインディング要請メッセージを送信し、その時の当該ＰＤＮ  ＧＷは、ホームエージェント（Ｈｏｍｅ  Ａｇｅｎｔ）機能を持つため、ＰＤＮ  ＧＷは、ＵＥから送信されたＭＩＰ登録要請メッセージ或はバインディング要請メッセージを受信すると、ＵＥが３ＧＰＰにより非３ＧＰＰに切り換えたと確定する。反対に、ＰＤＮ  ＧＷは、ＧＴＰ制御要請メッセージを受信すると、ＵＥが非３ＧＰＰにより３ＧＰＰに切り換えたと判定する。
【００５３】
ＰＤＮ  ＧＷは、ＵＥの非３ＧＰＰへの切換えを確認できた場合、解放する必要がある３ＧＰＰシステムにおけるＩＰベアラコネクションを確定する。当該確定方法としては、まず、ＰＤＮ  ＧＷは、当該ＵＥのユーザー平面コンテクスト（Ｕｓｅｒ  Ｐｌａｎｅ  Ｃｏｎｔｅｘｔ）に３ＧＰＰシステムにおけるＩＰベアラコネクションの有無を検査し、ＩＰベアラコネクションがあれば、３ＧＰＰシステムにはまだ解放されていないＩＰベアラコネクションが存在することを示す。そうではないと、解放されていないＩＰベアラコネクションが存在しないと判定し、今回の検査を終了する。また、上記３ＧＰＰが進化した３ＧＰＰである場合には、ＳＡＥベアラコンテクストの有無を判定し、上記３ＧＰＰが従来の３ＧＰＰである場合に、ＰＤＰコンテクストの有無を判定するようになる。なお、３ＧＰＰにおいて、ＵＥが複数のＰＤＮ  ＧＷを使用できるため、上記ＵＥに使われた全てのＰＤＮ  ＧＷは、当該ＵＥが３ＧＰＰにおいて解放されていないＩＰベアラコネクションがまだ存在するかどうかを検査しなければなれない。
【００５４】
解放する必要があるＩＰベアラコネクションの存在を確定した後、まず、当該ＩＰベアラコネクションを解放して、更に当該ＵＥに割り当てるＩＰアドレスを保存する必要があるかどうかを判定しても良い。
【００５５】
本実施形態において、ＰＤＮ  ＧＷは、ＵＥに接続された全ての接続網との間でのコネクションベアラチャネルを形成し、当該ＵＥのＩＰアドレスを上記コネクションベアラチャネルと関連付ける。上記３ＧＰＰが進化した３ＧＰＰであり、ＰＤＮ  ＧＷにより当該ＵＥに解放されていないＳＡＥベアラがまだ存在すると判定された場合、ＰＤＮ  ＧＷは、ＵＰＥにリーズン（Ｒｅａｓｏｎ）パラメータを含むＳＡＥベアラ解放要請メッセージ（Ｄｅｌｅｔｅ  ＳＡＥ  Ｂｅａｒｅｒ  Ｒｅｑｕｅｓｔ）を送信し、当該リーズンパラメータは、ＵＥの３ＧＰＰにより非３ＧＰＰへの切換えを示す。ＵＰＥは、上記ＳＡＥベアラ解放要請メッセージを受信後、ＭＭＥによりＲＡＮに無線接続ベアラ解放要請メッセージ（Ｄｅｌｅｔｅ  ＲＡＢ  Ｒｅｑｕｅｓｔ）を送信し、当該ＲＡＮは、上記無線接続ベアラ解放要請メッセージを受信後、自身とＵＰＥの間のベアラを解放し、同時に、ＭＭＥに無線接続ベアラ解放応答メッセージ（Ｄｅｌｅｔｅ  ＲＡＢ  Ｒｅｓｐｏｎｓｅ）を返送する。当該ＭＭＥは、ＵＰＥに無線接続ベアラ解放の応答メッセージを更に送信して、ＵＰＥは、自身とＰＤＮ  ＧＷとの間のベアラを解放し、即ち、ネットワークルーティング配置リソースを解放し、例えば、ＭＭＥとＰＤＮ  ＧＷとの間のチャネルリソースを解放し、同時に、ＰＤＮ  ＧＷにＳＡＥベアラ解放応答メッセージ（Ｄｅｌｅｔｅ  ＳＡＥ  Ｂｅａｒｅｒ  Ｒｅｓｐｏｎｓｅ）を返送する。
【００５６】
ここまでで、３ＧＰＰネットワークにおけるＩＰベアラコネクションの解放は終了し、ＰＤＮ  ＧＷは、ＵＥのＩＰアドレスと非３ＧＰＰのコネクションベアラチャネルとの関連付けを見つけて、それを判断する。即ち、ＳＡＥベアラに対応するコネクションベアラチャネルを解放した後、ＵＥのＩＰアドレスと非３ＧＰＰのコネクションベアラチャネルとの関連付けがあることにより、ＰＤＮ  ＧＷは、ＵＥのＩＰアドレスを解放せず、換言すれば、ＵＥのＩＰアドレスを保留する。勿論、ＰＤＮ  ＧＷは、ＵＥのＩＰアドレスと他のコネクションベアラチャネルとの関連付けがないと判定すれば、上記ユーザー設備のＩＰアドレスを解放する。
【００５７】
本発明の実施形態において、まず、解放する必要があるＳＡＥに対応するＵＥのＩＰアドレスと、非３ＧＰＰにおけるコネクションベアラチャネルとの関連付けの有無を判定しても良い。関連付けがあれば、３ＧＰＰネットワークにおけるＩＰベアラコネクションを解放する時に当該ＩＰアドレスを保留し、関連付けがないと判定すれば、ＩＰベアラコネクションを解放すると同時に当該ＩＰアドレスも解放する。
【００５８】
本発明の実施形態に係る方法は、３ＧＰＰによる非３ＧＰＰへの切換え、非３ＧＰＰによる３ＧＰＰへの切換え、又は同一ネットワーク内の切換え等の各種状況に適用される。例えば、本発明の実施形態２には、ＵＥの非３ＧＰＰにより３ＧＰＰへの切換えを行った後、ＰＤＮ  ＧＷのユーザー平面コンテクスト（Ｕｓｅｒ  Ｐｌａｎｅ  Ｃｏｎｔｅｘｔ）には、ＵＥの非３ＧＰＰでのＩＰ接続網コンテクスト（ＩＰ−Ｃｏｎｎｅｃｔｉｖｉｔｙ  Ａｃｃｅｓｓ  Ｎｅｔｗｏｒｋ，  ＩＰ−ＣＡＮ  Ｃｏｎｔｅｘｔ）があり、ＵＥの３ＧＰＰにおいてＳＡＥベアラを運ぶＧＴＰトンネル（ＧＴＰトンネルは本発明におけるコネクションチャネルの一種である）があり、ＰＤＮ  ＧＷは、ＵＥのＩＰアドレスをそれらのＧＴＰトンネルと関連付け、その後、ＰＤＮ  ＧＷは、当該非３ＧＰＰにおけるＩＰ−ＣＡＮコンテクストを解放すると同時に、ＵＥのＩＰアドレスを解放しないように保留する。しかし、非３ＧＰＰの多様性に従ってＩＰ−ＣＡＮコンテクストの内容も多様であり、当該コネクションベアラチャネルはＰＭＩＰトンネルである場合、ＩＰ−コンテクストは、ＰＭＩＰトンネルの関連内容も含む。当該コネクションベアラチャネルがＭＩＰトンネルの場合、ＰＤＮ  ＧＷはＨＡ機能を持つため、ＩＰ−ＣＡＮコンテクストは、ＨＡにおけるＵＥのバインディングコンテクストであることもできる。
【００５９】
本発明に係るシステムと方法について詳述したが、本発明は制御実体も提供する。図３に示すように、当該実体は、上記ユーザー設備のＩＰアドレスと第二ＩＰベアラコネクションとの関連付けの有無を判定し、その判定結果を上記保留ユニット５２に送信する第一判定ユニット５１と、上記ユーザー設備のＩＰアドレスと第二ＩＰベアラコネクションとの関連付けがある場合に上記ユーザー設備のＩＰアドレスを保留する保留ユニット５２を含む。上記第二ＩＰベアラコネクションに対応するコネクションベアラチャネルは一つ以上である。
【００６０】
上記制御実体は、第二判定ユニット５３を更に含む。上記第二判定ユニット５３は、アクセスノードのタイプ又はアクセスノードのＩＰアドレスにおける変化の有無を判定し、変化があると判定すれば、解放する必要があるＩＰベアラコネクションを確定する。又は、上記第二判定ユニット５３は、自身とアクセスノードとの間のコネクションベアラチャネルのタイプにおける変化の有無を判定し、変化があれば、解放する必要があるＩＰベアラコネクションを確定する。又は、上記第二判定ユニット５３は、上記ユーザー設備から送信された要請メッセージを受信し、解放する必要があるＩＰベアラコネクションを確定する。
【００６１】
上記制御実体は、上記ユーザー設備のＩＰアドレスと上記第二ＩＰベアラコネクションに対応するコネクションベアラチャネルとの関連付けがなければ、上記ユーザー設備のＩＰアドレスを解放する解放ユニット５４を更に含む。
【００６２】
上記制御実体は、自身とユーザー設備に接続する接続網との間のコネクションベアラチャネルを形成し、上記ユーザー設備のＩＰアドレスを上記コネクションベアラチャネルと関連つける関連付けユニット５５を更に含む。
【００６３】
本発明によれば、ＵＥに使用されるネットワークリソースは需要に応じって解放でき、ＵＥを複数のネットワークに接続する場合、活性化されたサービスの持続性の確保が可能になる。ユーザー設備のＩＰアドレスと他のコネクションベアラチャネルとの関連付けがなければ、上記ユーザー設備のＩＰアドレスを解放することにより、正確にＵＥのＩＰアドレスを解放することを確保できるようになる。
【００６４】
最後に注意するべきことは、上記実施例は本発明の技術的な解決手段の説明だけで、技術上の制限にはならない。本明細書では上述した実施例を参照し本発明を詳しく解説したが、当業者によって、上述した技術的な解決手段を改造し、またはその中の一部の技術要素を置換することもできる。そのような改造と置換は本発明の各実施例の技術の範囲から逸脱するとは見なされない。
【図１】
2010523016.tif 000003
【図２】
2010523016.tif 000004
【図３】
2010523016.tif 000005
【国際調査報告】
2010523016.tif 000006
2010523016.tif 000007
2010523016.tif 000008
2010523016.tif 000009